(57)【特許請求の範囲】
【請求項１】
時計のムーブメントの可動部品（１３）を日にち歯車（８）に連結し、歯列（１６）を有するこの日にち歯車（８）を一日に１ピッチ前進させる運動連結と、
一部の欠けた歯と、３０日の月に対応し、３０日の月の３０日目の最後に運動連結が日にち歯車（８）の１ピッチの前進と月歯車（９）の１ピッチの前進を順次引き起こすように、この運動連結によって駆動される５つの完全な歯（１９）で形成された歯列を有する月歯車（９）と、
一部が欠けているか完全であるかを問わず、月歯車（９）のすべての歯と噛み合う歯列（２０）を有し、一方では、月に一度、月歯車（９）が爪（１８）と中間歯車（１０）を介して１ピッチ前進し、他方では運動連結が月歯車（９）の完全な歯（１９）と噛み合う都度、日にち歯車（８）が中間歯車（１０）と爪（１８）によってさらに１ピッチ駆動されるように、日にち歯車（８）と連動する駆動爪（１８）と噛み合う中間歯車（１０）、
とから成ることを特徴とする、時計のムーブメントのための年間日付表示機構。
【請求項２】
日にち歯車（８）の歯列（１６）が３１の歯を有し、月歯車の歯列が一部の欠けた、または完全な合計２４の歯を有し、中間歯車が２４の歯の歯列を有することを特徴とする、請求項１に記載の機構。
【請求項３】
運動連結が端の一方に時計のムーブメントの可動部品（１３）と噛み合ったピニオン（１２）を備え、他の端に一つまたは複数の鉤（１４；１５）を有する駆動装置（６）を備えている軸（７）を有することを特徴とする、請求項１または請求項２に記載の機構。
【請求項４】
日にち歯車（８）が時計部品の文字盤（３）によって担持された３１日の目盛（２）と協働する針（１）を担持することを特徴とする、請求項１から３のいずれか一つに記載の機構。
【請求項５】
日にち歯車（８）がその歯２本分の角度範囲に対応するその周縁の一部に、深さがその歯列（２０）の厚みの半分にほぼ対応するフライス削り（３５）を有し、歯列（２０）のこの不完全な部分が、その周縁に沿って均一に配分され、それに接して０から９の一連の数字を有する日付の１の単位の表示円盤（３２）を担持する１０枚の歯のピニオン（３３）と噛み合うことを特徴とする、請求項１から３のいずれか一つに記載の機構。
【請求項６】
フライス削り（３５）の場所にかかわらず、３０日の月にピニオン（３３）が１ピッチしか駆動されず、日にち歯車（８）は２ピッチ駆動されることを特徴とする、請求項５に記載の機構。
【請求項７】
日にち歯車（８）が遊び歯車（３８）と３１枚の歯の歯列を有する１０の位の中間可動部品（３７）を介して日付の１０の位の表示円盤（３１）と連動するピニオン（３４）を駆動し、１０の位の円盤（３１）がその周縁沿いに均一に、かつ前記周縁の接線方向に配分された一連の数字０、０、１、２、３、０、０、１、２、３を備え、１０の位の円盤（３１）が１の位の円盤（３２）に接して配置され；文字盤３につけられた窓（３０）が前記２つの表示円盤（３１、３２）のそれぞれ一つの数字を見せることを特徴とする、請求項６に記載の機構。
【請求項８】
１０の位の中間可動部品（３７）が第９、１９、２９、３１番目の日と、１日と８日の間に含まれる一日に対応する完全な５本の歯（３９）で形成された歯列を有し、その他すべての歯は一部が欠け、また完全な歯（３９）だけがピニオン（３４）と噛み合うことを特徴とする、請求項７に記載の機構。
【請求項９】
駆動装置が日にち歯車（８）および月歯車（９）と協働する一対の鉤（１４、１５）を有し、駆動装置が２４時の近傍で３０分未満の時間間隔の間に一日１８０度の回転を実施することを特徴とする、請求項３から８のいずれか一つに記載の機構。
【請求項１０】
駆動装置が、一方（１４、１５）は日にち歯車（８）の歯列と、他方は月歯車（９）の歯列と協働する、異なる部位に位置付けられた２対の鉤（１４、１５；１４’；１５’）を有し、これらの対の鉤（１４、１５；１４’、１５’）が２０度と１５０度の間に含まれる角度がずらされ、駆動装置が２４時の近傍で３０分未満の時間間隔の間に一日１８０度の回転を実施することを特徴とする、請求項３から８のいずれか一つに記載の機構。
【請求項１１】
運動連結が軸（７）を有し、当該軸（７）が、時計のムーブメントの可動部品（１３）と噛み合ったピニオン（１２）を下端に担持し、それぞれ少なくとも一つの鉤（５１、５１’）と連動する２つの車（４９、５０）と噛み合った駆動歯車（４８）を上端に担持していること、および、前記２つの車のうちの一方の車（４９）の鉤（５１）が１日１ピッチの割合で日にち歯車（８）を駆動し、他方の車（５０）の鉤（５１’）は月歯車（９）の完全な歯（１９）としか協働しないことを特徴とする、請求項１または２のいずれか一つに記載の機構。
【請求項１２】
日にち歯車が、歯列（４４）が３１本の歯を有するその内部歯列（４３）によって日付クラウン（４２）を１ピッチずつ駆動する日付車（４５）のピニオン（４６）とまた噛み合い、この日付クラウン（４２）がその上面に時計のムーブメントの文字盤の窓（４１）に連続して現れる１から３１の一連の数字を担持していることを特徴とする、請求項１１に記載の機構。
【発明の詳細な説明】
【０００１】
【発明が属する技術分野】
本発明は時計部品に組み込むか、時計のムーブメントの上に固定するための独立モジュールを形成することのできる年間日付表示機構に関するものである。
【０００２】
【従来の技術及び発明が解決しようとする課題】
年間日付表示機構は、いずれの場合にも、この機構は備えられている時計のムーブメントによって駆動される。
【０００３】
日付表示装置は周知であるが、それらは一般的に複雑である。
【０００４】
そこで、本発明の目的は、単純な年間日付表示機構の実現である。しかも可動部品が少なくて済み、これらの可動部品は、異形のカムとは異なる歯車などであり、実現が容易である。本発明のもう一つの目的は、その表示が目盛と協働する針、異なる表示円盤によって担持された２つの数字を表す大きな窓または日付のクラウンによって担持された一つの数字を表す従来のな窓の形を区別なく取ることができる年間日付表示機構を作り出すことである。
【０００５】
【課題を解決するための手段】
課題を解決するための手段として、以下の年間日付表示機構を提供する。
【０００６】
第１に、時計のムーブメントの可動部品（１３）を日にち歯車（８）に連結し、歯列（１６）を有するこの日にち歯車（８）を一日に１ピッチ前進させる運動連結と、
一部の欠けた歯と、３０日の月に対応し、３０日の月の３０日目の最後に運動連結が日にち歯車（８）の１ピッチの前進と月歯車（９）の１ピッチの前進を順次引き起こすように、この運動連結によって駆動される５つの完全な歯（１９）で形成された歯列を有する月歯車（９）と、
一部が欠けているか完全であるかを問わず、月歯車（９）のすべての歯と噛み合う歯列（２０）を有し、一方では、月に一度、月歯車（９）が爪（１８）と中間歯車（１０）を介して１ピッチ前進し、他方では運動連結が月歯車（９）の完全な歯（１９）と噛み合う都度、日にち歯車（８）が中間歯車（１０）と爪（１８）によってさらに１ピッチ駆動されるように、日にち歯車（８）と連動する駆動爪（１８）と噛み合う中間歯車（１０）：
とから成ることを特徴とする、時計のムーブメントのための年間日付表示機構。
【０００７】
第２に、日にち歯車（８）の歯列（１６）が３１の歯を有し；月歯車の歯列が一部の欠けた、または完全な合計２４の歯を有し；中間歯車が２４の歯の歯列を有することを特徴とする、第１に記載の機構。
【０００８】
第３に、運動連結が端の一方に時計のムーブメントの可動部品（１３）と噛み合ったピニオン（１２）を備え、他の端に一つまたは複数の鉤（１４；１５）を有する駆動装置（６）を備えている軸（７）を有することを特徴とする、第１または第２に記載の機構。
【０００９】
第４に、日にち歯車（８）が時計部品の文字盤（３）によって担持された３１日の目盛（２）と協働する針（１）を担持することを特徴とする、第１から３のいずれか一つに記載の機構。
【００１０】
第５に、日にち歯車（８）がその歯２本分の角度範囲に対応するその周縁の一部に、深さがその歯列（２０）の厚みの半分にほぼ対応するフライス削り（３５）を有し、歯列（２０）のこの不完全な部分が、その周縁に沿って均一に配分され、それに接して０から９の一連の数字を有する日付の１の単位の表示円盤（３２）を担持する１０枚の歯のピニオン（３３）と噛み合うことを特徴とする、第１から３のいずれか一つに記載の機構。
【００１１】
第６に、フライス削り（３５）の場所にかかわらず、３０日の月にピニオン（３３）が１ピッチしか駆動されず、日にち歯車（８）は２ピッチ駆動されることを特徴とする、第５に記載の機構。
【００１２】
第７に、日にち歯車（８）が遊び歯車（３８）と３１枚の歯の歯列を有する１０の位の中間可動部品（３７）を介して日付の１０の位の表示円盤（３１）と連動するピニオン（３４）を駆動し、１０の位の円盤（３１）がその周縁沿いに均一に、これに接して配分された一連の数字０、０、１、２、３、０、０、１、２、３を備え；１０の位の円盤（３１）が１の位のそれ（３２）に接して配置され；文字盤３につけられた窓（３０）がそれぞれの窓（３１、３２）の一つの数字を見せる、ことを特徴とする、第６に記載の機構。
【００１３】
第８に、１０の位の中間可動部品（３７）が第９、１９、２９、３１番目の日と、１日と８日の間に含まれる一日に対応する完全な５本の歯（３９）で形成された歯列を有し、その他すべての歯は一部が欠け；また完全な歯（３９）だけがピニオン（３４）と噛み合うことを特徴とする、第７に記載の機構。
【００１４】
第９に、駆動装置が日にち歯車（８）および月歯車（９）と協働する一対の鉤（１４、１５）を有し；駆動装置が２４時の近傍で３０分未満の時間間隔の間に一日１８０度の回転を実施することを特徴とする、第３から８のいずれか一つに記載の機構。
【００１５】
第１０に、駆動装置が、一方（１４、１５）は日にち歯車（８）の歯列と、他方は月歯車（９）の歯列と協働する、異なる部位に位置付けられた２対の鉤（１４、１５；１４’；１５’）を有し；これらの対の鉤（１４、１５；１４’、１５’）が２０度と１５０度の間に含まれる角度がずらされ、駆動装置が２４時の近傍で３０分未満の時間間隔の間に一日１８０度の回転を実施することを特徴とする、第３から８のいずれか一つに記載の機構。
【００１６】
第１１に、運動連結が、その下端に時計のムーブメントの可動部品（１３）と噛み合ったピニオン（１２）を備え、上端にそれぞれ少なくとも一つの鉤（５１、５１’）と連動する２つの車（４９、５０）と噛み合った駆動歯車（４８）を担持する軸（７）を備え；車（４９）の鉤（５１）が１日１ピッチの割合で日にち歯車（８）を駆動し、もう一つの車（５０）の鉤（５１’）は月歯車（９）の完全な歯（１９）としか協働しないことを特徴とする、第１または２のいずれか一つに記載の機構。
【００１７】
第１２に、日にち歯車が、歯列（４４）が３１本の歯を有するその内部歯列（４３）によって日付クラウン（４２）を１ピッチずつ駆動する日付車（４５）のピニオン（４６）とまた噛み合い；この日付クラウン（４２）がその上面に時計のムーブメントの文字盤の窓（４１）に連続して現れる１から３１の一連の数字を担持していることを特徴とする、第１１に記載の機構。
【００１８】
【実施例】
付属の図面は、本発明による年間日付表示機構の３つの実施例を概略的に例示するものである。
【００１９】
図１は図２、３または４の線Ｉ−Ｉにそった針と目盛による表示を含む年間日付表示機構の実施例１の断面図である。
【００２０】
図２、３と４は、図１に示した機構の６月３０日から７月１日に移るときを示す３つの連続した位置における平面図である。
【００２１】
図５は図６、８と１０の線Ｖ−Ｖにそった、円盤と大きな窓による表示から成る年間日付表示機構の実施例２の断面図である。
【００２２】
図６、７；８、９と１０、１１は６月３０日から７月１日に移るときを示す３つの連続した位置における、それぞれ表示装置のない場合とある場合の、図５に示した機構の平面図である。
【００２３】
図１２、１３と１４は、６月３０日から７月１日に移るときを示す、３つの連続した位置における年間日付表示機構の実施例３の断面図である。
【００２４】
以下に詳細に説明する実施例において、年間日付表示機構は文字盤とその駆動を保証する時計部品のムーブメントの間に取り付けるための独立したモジュールの形で設計される。もちろん同じ年間日付表示機構を時計のムーブメントに直接組み込むこともできる。
【００２５】
いずれの実施例においても、歯車８、９と１０によって構成される日付表示機構はいつも同じで、ただこの機構の駆動と日付表示のそれが異なっている。
【００２６】
この日付機構はきわめて単純で、実現の容易な歯列の可動部品によって構成される３つの歯車しか備えていない。
【００２７】
【実施例１】
図１から４を参照して説明される実施例１において、年間日付表示機構は時計部品の文字盤３によって担持された目盛２の正面に先端が移動する針１によって構成される表示を駆動し、目盛は円周上に均一に配分され、各月の日にちを示す３１の区分から成る。
【００２８】
この機構は、そのモジュールバージョンにおいて、プレート４に取り付けられた、プレート４で旋回する日にち歯車８と、両者ともにプレート４で旋回する月歯車９と中間歯車１０を備える。運動結合によってこれらの歯車８、９と１０は時計のムーブメントの動力取り出し装置から駆動される。
【００２９】
この実施例において、運動結合はその下端が年間日付表示機構を駆動する動力取り出し装置を形成する時計のムーブメントＭの歯車１３と噛み合ったピニオン１２を備えている軸７と連動している駆動装置６によって構成される。駆動装置６は正反対に対立し、日にち歯車８の３１の歯の歯列１６および月歯車９の２４の歯の一部の欠けた歯列とそれぞれ順次噛み合う２つの鉤１４、１５を備えている。
【００３０】
駆動装置６は、時計のムーブメントの歯車１３と、駆動装置６の軸７と連動しているピニオン１２の作用によって毎日２３時３０分と２４時００分の間に位置するおよそ２０分の時間経過の間に一日一回半回転、すなわち１８０度の回転を実施する。
【００３１】
図示した例において、時計のムーブメントの歯車１３は１２４の歯を有し、毎日４歯角度が変位し、この歯列は８つの歯を有するピニオン１２と噛み合っている。この歯車１３は歯列または、時計のムーブメントによって作動し、所望の速度で駆動装置６の回転駆動を可能にする他のいっさいの動力取り出し装置を周縁に備えた通常の日付クラウンとすることができる。
【００３２】
駆動装置６のそれぞれの鉤１４、１５は日にちの歯車８の３１の歯の、歯列１６と噛み合い、それによって歯車８の歯を一日に１ピッチだけ前進させる。
これらの回転駆動の間に、日にち歯車８はその歯列１６と噛み合ったジャンパ１７によってその角度位置に維持される。
【００３３】
日にち歯車８はさらに爪１８を備え、その作動は後述する。
【００３４】
月歯車９は２４個の歯の歯列から成り、そのいくつかは一部が欠けている。したがって、この歯車は一月当たり２つの歯を有するが、３１日未満の月、すなわち２月、４月、６月、９月と１１月の月末に対応する歯１９、すなわち５個の歯を除いて、すべての歯は一部が欠けている。
【００３５】
月歯車９のこれら５つの歯１９は駆動装置の鉤１４、１５と噛み合うように位置付けられ、一方この月歯車の一部の欠けた歯はこれらの鉤１４、１５から届かない。したがって、この月歯車は３１日未満の月の月末ごとに鉤１４、１５の一方または他方によって１ピッチ駆動される。
【００３６】
中間歯車１０は月歯車の、一部のかけの有無を問わず、２４すべての歯と噛み合った２４本の歯の歯列２０を有する。くわえて、日にち歯車８の爪１８は中間歯車１０のこの歯列２０と協働する。この中間歯車１０それぞれの駆動の間における角度位置は、ジャンパ２１に維持されている
日付表示針１は、日にち歯車８と連動している。
【００３７】
この年間日付表示機構の作動は次の通りである：
一日に一度、鉤１４、１５の一つが目盛２上のひと月の１日から３０日まで３０ピッチで針を駆動する日にち歯車８を１ピッチだけ前進させる。
【００３８】
これによって毎月３０日に、日にち歯車の爪１８は矢印Ｆの方向に中間歯車１０を１ピッチ、したがって、同じく月歯車も１ピッチ駆動する。これによって２４時間の間隔で実施される連続する２ピッチで３０日から１日に移行する３１日の月の正常な表示ができる。
【００３９】
３０日の月についてだけ、鉤１４、１５はまず日にち歯車８を１ピッチ駆動して、中間歯車１０による１ピッチの駆動、またしたがって、一部が欠けていない歯１９はこの鉤１４または１５の軌動の上に位置することになる月歯車９の１ピッチの駆動を引き起こす。この様にして、１８０度の回転運動の最後に、この鉤１４または１５は歯１９に作用して月歯車を１ピッチ駆動して、矢印Ｆの方向に更に１ピッチだけ中間歯車の駆動を引き起こし、それが日にち歯車８をさらに１ピッチ駆動する。
【００４０】
この様にして、鉤１４または１５が月歯車９の歯１９を駆動する都度、日にち歯車８は、鉤１４、１５によって一度また中間歯車によって再度、２ピッチ駆動され、したがって、針１は３０日から翌月の１日に移行する（図２、３と４を参照）。
【００４１】
この機構はきわめて単純で画期的であり、歯列または爪または鉤しか持たない、したがって、最も実現が容易な、４つの可動部品しか備えていない。これらすべての可動部品は同一平面内に配置され、そのため機構の高さはわずかしかない。
したがって、３１日の月に、駆動装置の鉤１４または１５は月の可動部品の歯１９には接触せず、針は順次３０日、３１日と翌月の１日を表示する。
【００４２】
他方、３０日の月は、鉤１４または１５は、日にち歯車８だけでなく、月の歯車９も１ピッチだけ駆動して、それによって日にち歯車８を２ピッチ前進させ、中間位置（図３）は数分間の過渡的なものでしかない。
【００４３】
【実施例２】
図５から１１に示した年間日付表示機構の実施例２はその文字盤３が、ピニオン３３、３４と連動してプレート４で旋回させられる１０の位の円盤３１と１の位の円盤３２によってそれぞれ担持された２つの数字を現す大きな窓３０を備えた日付表示を駆動するよう想定されている。
【００４４】
この実施例２の年間日付表示機構は実施例１について参照として説明したものと同一の日にち歯車８と、月歯車９と中間歯車１０を備えている。
【００４５】
駆動装置６が前述のそれと異なるのは、上下に重ねられ、互いに２０度から１５０度の角度でずらされた２対の鉤１４、１５および１４’、１５’を有することである。鉤１４、１５は前述の場合と同様に、日にち歯車８の歯列１６と協働し、他方、鉤１４’、１５’は月歯車９の一部が欠けていない歯１９としか協働しない。これによって３０日に関しては、月の３０日から翌月の１日への移行時間を短縮することができる。
【００４６】
日にち歯車８も実施例１から、その歯列１６の２つの歯の空間に、またこの歯列１６の少なくとも半分の高さにフライス削り３５を有するという方向で修正される。
【００４７】
機構の作動は、表示を除いて、実施例１について説明したものと同一である。
【００４８】
この表示はここでは文字盤３につけられ、一方は１の位の円盤３２に、他方は１０の位の円盤３１に担持された２つの数字を同時に見ること可能にする大きな窓３０によって構成される。
【００４９】
１の位の円盤３２は日にち歯車８の歯列１６の上半分と噛み合う１０の歯のピニオン３３を有する。したがって、それは１日１ピッチの割合で連続する３０ピッチの間１ピッチずつ駆動され、ついで３１日の月の場合は、フライス削り３５がその駆動を防止して４８時間の間駆動されず、数字１が２日間続けて表示位置に留まるようにする。３０日の月の場合、日にち歯車８がその月の３０日の後２ピッチを実行するので、数字１は１日しか表示位置に留まらない。ジャンパ３６は１の単位の円盤３２の角度位置をその駆動の間、維持する。
【００５０】
１の位の円盤は、文字盤３の大きな窓３０の右側と一致したときに日付の１の位を示すための、その円周上に均一に配分され、円周に接して配置された、０から９の一連の数字を備えている。
【００５１】
表示はさらに１０の位の円盤３１を有し、１０本の歯を備えたピニオン３４は１０の位の中間可動部品３７によって１ピッチずつ駆動され、後者自身もその歯列が日にち歯車の歯列１６の全高と噛み合う遊び歯車３８を介して日にち歯車８によって１ピッチずつ駆動される。遊び歯車３８またしたがって、１０の位の中間可動部品３７は切れ目なしに日にち歯車８によって１ピッチずつ駆動される。
【００５２】
１０の位の中間可動部品３７はすべてが遊び歯車３８と噛み合っている３１の歯の歯列を有する。中間可動部品のこの歯列の大半の歯は一部が欠け、この歯列のわずかに５本の完全な歯３９が１０の位の円盤３１のピニオン３４と噛み合っている。これらの完全な歯３９は１０の位の円盤３１を毎月４日、９日、１９日、２９日と３１日に駆動するように位置付けられている。３０日の月は、中間可動部品が月の３０日に２ピッチだけ駆動されるので、数字３は１日にしか表示位置に留まらず、３１日の月はこの３という数字は連続して２日間表示される。この１０の位の円盤３１は２ヶ月で完全に１回転し、その円周上に均一に配分され、円周に接して配置された、次の一連の数字を備えている：０、０、１、２、３、０、０、１、２、３。ジャンパ４０は１０の位の円盤の角度位置をそれらの連続する駆動の間に維持する。図６、７、８、９と１０、１１は月の３０日から翌月の１日に移行するときの機構とその表示の連続する位置を図示し、表示の２ピッチは２０から３０分程度の時間が経過する間に実行される。
【００５３】
記載された年間日付表示機構の変型を考案して、駆動装置６が、２０から３０分の時間経過の間に一日３６０度駆動する限りにおいて鉤が一つしか、あるいはそれぞれ一日に１２０度の割合で駆動される３つの鉤しか備えないようにすることができる。重要なのは、この駆動装置が毎日、日にち歯車８を１ピッチ、３０日の月ごとに月歯車９を１ピッチ駆動して、これらの月の３０日に中間歯車１０を介して日にち歯車８を再度１ピッチだけ駆動し、表示を３０日から翌月の１日に移行させることである。
【００５４】
【実施例３】
図１２から１４に図示した年間日付表示機構の実施例３は、１から３１日の数字を有する日付クラウン４２によって担持された数を現す文字盤３の従来のな窓４１を有する日付表示を駆動するよう想定されている。
【００５５】
この実施例３の年間日付表示機構は、前述の実施例について参照として説明したものと同一の日にち歯車８と、月歯車９と中間歯車１０を備えている。
【００５６】
日付クラウン４２は従来の仕方で旋回し、文字盤と日付表示機構の間に位置する。この日付クラウン４２は歯列が日にち歯車８の歯列１６と噛み合っているピニオン４６と連動した日付車４５の歯列４４と噛み合った内部歯列４３を有する。この日付クラウン４２はジャンパ４７の作用を受けて、日付車４５によってクラウンの２つの駆動の間の角度位置が維持される。
【００５７】
この実施例において、時計のムーブメントから日付表示機構を駆動する運動連結は、上述の実施例と同様に、軸７を有し、軸の下端はムーブメントの歯車１３と噛み合ったピニオン１２を担持しているが、その上端は正反対に相対する２つの鉤５１、５２；５１’、５２’をそれぞれ備えた、板４上を旋回する２つの車４９、５０と同時に噛み合う駆動車４８を担持している。運動連結の減速率はそれぞれの車４９、５０が２３時４０分と２４時００分の間の約２０分の時間経過で、一日１８０度の回転をするようになっている。
【００５８】
鉤５１、５２は日付車８をその歯列１６と協働して一日に１ピッチの割合で駆動し、他方で鉤５１’、５２’は月歯車９の一部の欠けていない歯１９と協働する。
【００５９】
この機構の作動は上述の実施例の作動と同一であり、３１日の月について日にち歯車８を一日１ピッチの割合で、１ピッチずつ駆動し、月歯車９と中間歯車１０によって３０日の月の３０日と１日の間にこの日にち歯車８に第二のピッチを実行させることを可能にする。
【００６０】
この実施例において、日にち歯車８の歯列１６は日付車４５と連動するピニオン４６と噛み合う。したがって、日にち歯車８の１ピッチごとに、日付車４５と日付クラウン４２は１ピッチ駆動される。
【００６１】
実施例１と同様に日にち歯車８はジャンパ１７の作用を受け、中間歯車はジャンパ２１の作用を受ける。
【００６２】
【発明の効果】
本発明により、単純な年間日付表示機構が実現できるようになった。しかも、当該機構は可動部品が少なくて済み、これらの可動部品は異形のカムとは異なる歯車などであり、実現が容易である。
【００６３】
更に、その表示が目盛と協働する針、異なる表示円盤によって担持された２つの数字を表す大きな窓または日付のクラウンによって担持された一つの数字を表す従来のな窓の形を区別なく取ることができる年間日付表示機構を作り出すことができるようになった。
【図面の簡単な説明】
【図１】図２、３または４の線Ｉ−Ｉにそった針と目盛による表示を含む年間日付表示機構の実施例１の断面図である。
【図２】図１に示した機構の６月３０日から７月１日に移るときを示す３つの連続した位置における第一の平面図である。
【図３】図１に示した機構の６月３０日から７月１日に移るときを示す３つの連続した位置における第二の平面図である。
【図４】図１に示した機構の６月３０日から７月１日に移るときを示す３つの連続した位置における第三の平面図である。
【図５】図６の線Ｖ−Ｖにそった、円盤と大きな窓による表示から成る年間日付表示機構の実施例２の断面図である。
【図６】６月３０日から７月１日に移るときを示す３つの連続した位置における、それぞれ表示装置のない場合の、図５に示した機構の第一の平面図である。
【図７】６月３０日から７月１日に移るときを示す３つの連続した位置における、それぞれ表示装置のある場合の、図５に示した機構の第一の平面図である。
【図８】６月３０日から７月１日に移るときを示す３つの連続した位置における、それぞれ表示装置のない場合の、図５に示した機構の第二の平面図である。
【図９】６月３０日から７月１日に移るときを示す３つの連続した位置における、それぞれ表示装置のある場合の、図５に示した機構の第二の平面図である。
【図１０】６月３０日から７月１日に移るときを示す３つの連続した位置における、それぞれ表示装置のない場合の、図５に示した機構の第三の平面図である。
【図１１】６月３０日から７月１日に移るときを示す３つの連続した位置における、それぞれ表示装置のある場合の、図５に示した機構の第三の平面図である。
【図１２】６月３０日から７月１日に移るときを示す、３つの連続した位置における年間日付表示機構の実施例３の第一の平面図である。
【図１３】６月３０日から７月１日に移るときを示す、３つの連続した位置における年間日付表示機構の実施例３の第二の平面図である。
【図１４】６月３０日から７月１日に移るときを示す、３つの連続した位置における年間日付表示機構の実施例３の第三の平面図である。
【符号の説明】
１  針
２  目盛
３  文字盤
４  板
６  駆動装置
７  軸
８  日にち歯車
９  月歯車
１０  中間歯車
１２  ピニオン
１３  歯車
１４  鉤
１５  鉤
１６  歯列
１７  ジャンパ
１８  駆動爪
１９  歯
２０  歯列
２１  ジャンパ
３０  大きな窓
３１  １０の位の窓
３２  １の位の窓
３３  ピニオン
３４  ピニオン
３５  フライス削り
３６  ジャンパ
３７  １０の位の中間可動部品
３８  遊び歯車
３９  ５本の完全な歯
４０  ジャンパ
４１  従来の窓
４２  日付クラウン
４３  内部歯列
４４  歯列
４５  日付車
４６  ピニオン
４７  ジャンパ
４８  駆動歯車
４９  車
５０  車
５１  駆動鉤
【図１】
0004435344.tif 000002
【図２】
0004435344.tif 000003
【図３】
0004435344.tif 000004
【図４】
0004435344.tif 000005
【図５】
0004435344.tif 000006
【図６】
0004435344.tif 000007
【図７】
0004435344.tif 000008
【図８】
0004435344.tif 000009
【図９】
0004435344.tif 000010
【図１０】
0004435344.tif 000011
【図１１】
0004435344.tif 000012
【図１２】
0004435344.tif 000013
【図１３】
0004435344.tif 000014
【図１４】
0004435344.tif 000015